(57)【要約】【課題】苗移植機に使用する所定幅寸法の育苗箱について、複数の幅寸法の育苗箱に適用が可能な播種機を提供する。【解決手段】播種機は、苗移植機の植付け条間距離と対応する所定の幅寸法（Ｗ）の育苗箱（Ｔ）を一端に受ける搬送経路（３）と、この搬送経路（３）上で上記幅寸法（Ｗ）に適合する作用幅で床土詰め、播種、覆土を行う各作業装置（６，７，８）とから構成され、これらの作業装置（６，７，８）は、それぞれの上部に開口する投入用ホッパ（５４ａ，６８ａ，８４ａ）と、これら投入用ホッパ（５４ａ，６８ａ，８４ａ）に着脱可能なそれぞれの補助枠（３１ａ，３１ｂ，３１ｃ）とを備え、これらの補助枠（３１ａ，３１ｂ，３１ｃ）は、上記育苗箱（Ｔ）の幅寸法（Ｗ）より小さい幅寸法（Ｗ１）の小幅育苗箱（Ｔ１）に適合する開口幅に形成したことから、その着脱により、いずれの育苗箱（Ｔ，Ｔ１）にも適用することができる。【選択図】図２
2013215161.tif 000002
【特許請求の範囲】
【請求項１】
苗移植機の植付け条間距離と対応する所定の幅寸法（Ｗ）の育苗箱（Ｔ）を一端に受ける搬送経路（３）と、この搬送経路（３）上で上記幅寸法（Ｗ）に適合する作用幅で床土詰め、播種、覆土を行う各作業装置（６，７，８）とからなる播種機において、
上記作業装置（６，７，８）は、それぞれの上部に開口する投入用ホッパ（５４ａ，６８ａ，８４ａ）と、これら投入用ホッパ（５４ａ，６８ａ，８４ａ）に着脱可能なそれぞれの補助枠（３１ａ，３１ｂ，３１ｃ）とを備え、これら補助枠（３１ａ，３１ｂ，３１ｃ）は、上記育苗箱（Ｔ）の幅寸法（Ｗ）より小さい幅寸法（Ｗ１）の小幅育苗箱（Ｔ１）に適合する開口幅に形成したことを特徴とする播種機。
【請求項２】
前記補助枠（３１ａ，３１ｂ，３１ｃ）の幅方向の外側部に前記投入用ホッパ（５４ａ，６８ａ，８４ａ）の開口の側端までの隙間を閉じる蓋（３２ａ，３２ｂ，３２ｃ）を備えたことを特徴とする請求項１記載の播種機。
【請求項３】
前記搬送経路（３）には、前記育苗箱（Ｔ）の側部を案内する搬送ガイド（１５）と、前記小幅育苗箱（Ｗ１）の側部を案内する搬送ガイド（１５ａ）とを交換可能に設けたことを特徴とする請求項１又は請求項２に記載の播種機。
【請求項４】
前記搬送経路（３）には、前記育苗箱（Ｔ）の底部を受ける位置と、前記小幅育苗箱（Ｔ１）の底部を受ける位置に分けてローラ（１６ａ）を配置したことを特徴とする請求項１から請求項３のいずれかに記載の播種機。
【請求項５】
前記搬送経路（３）には、前記育苗箱（Ｔ）に適合する作用幅の潅水パイプ（９９）と、前記小幅育苗箱（Ｔ１）に適合する作用幅の潅水パイプ（９９ａ）とを交換可能に設けたことを特徴とする請求項１から請求項４のいずれかに記載の播種機。
【請求項６】
前記搬送経路（３）には、前記育苗箱（Ｔ）および前記小幅育苗箱（Ｔ１）それぞれの幅寸法を隔てる側辺に沿って床土に溝（Ｕ）を形成する作溝部材（４１ａ）を設けたことを特徴とする請求項１から請求項５のいずれかに記載の播種機。
【発明の詳細な説明】
【技術分野】
【０００１】
本発明は、苗移植機用の育苗箱に播種するために床土詰、播種等の各作業部を搬送経路に沿って配置した播種機に関する。
【背景技術】
【０００２】
育苗箱は、水稲苗等を育生するための浅底容器であり、苗移植機に適合するマット苗を形成するための所定の長方形状をなす。このような育苗箱に種籾を播種するために、播種機は、育苗箱を搬送するベルト等による搬送装置の搬送経路上にその搬送方向に沿って床土詰装置、播種装置、覆土装置等の作業部を備えて構成される。さらに、搬送経路の一端に苗箱供給装置を備えた例が、特許文献１のごとく、が知られている。このような構成の播種機は、長方形状の育苗箱をその長手方向に搬送することにより、搬送行程に沿って安定して床土散布、播種、覆土等が順次実施されて育苗準備することができる。
【先行技術文献】
【特許文献】
【０００３】
【特許文献１】特開２００９−２９６９７１号公報
【発明の概要】
【発明が解決しようとする課題】
【０００４】
しかしながら、苗移植機の植付け条間距離が異なる場合は、対応する幅寸法の育苗箱が必要となり、その幅寸法に播種するために、育苗箱の幅寸法と対応する播種機が必要となることから、育苗箱の幅寸法別に複数の播種機を設備せざるを得ず、設備コストと設置スペースの問題があった。
【０００５】
本発明の目的は、複数の幅寸法の育苗箱について適用が可能な播種機を提供することにある。
【課題を解決するための手段】
【０００６】
請求項１に係る発明は、苗移植機の植付け条間距離と対応する所定の幅寸法（Ｗ）の育苗箱（Ｔ）を一端に受ける搬送経路（３）と、この搬送経路（３）上で上記幅寸法（Ｗ）に適合する作用幅で床土詰め、播種、覆土を行う各作業装置（６，７，８）とからなる播種機において、上記作業装置（６，７，８）は、それぞれの上部に開口する投入用ホッパ（５４ａ，６８ａ，８４ａ）と、これら投入用ホッパ（５４ａ，６８ａ，８４ａ）に着脱可能なそれぞれの補助枠（３１ａ，３１ｂ，３１ｃ）とを備え、これら補助枠（３１ａ，３１ｂ，３１ｃ）は、上記育苗箱（Ｔ）の幅寸法（Ｗ）より小さい幅寸法（Ｗ１）の小幅育苗箱（Ｔ１）に適合する開口幅に形成したことを特徴とする。
【０００７】
請求項２に係る発明は、請求項１に係る発明において、前記補助枠（３１ａ，３１ｂ，３１ｃ）の幅方向の外側部に前記投入用ホッパ（５４ａ，６８ａ，８４ａ）の開口の側端までの隙間を閉じる蓋（３２ａ，３２ｂ，３２ｃ）を備えたことを特徴とする。
【０００８】
請求項３に係る発明は、請求項１又は請求項２に係る発明において、前記搬送経路（３）には、前記育苗箱（Ｔ）の側部を案内する搬送ガイド（１５）と、前記小幅育苗箱（Ｗ１）の側部を案内する搬送ガイド（１５ａ）とを交換可能に設けたことを特徴とする。
【０００９】
請求項４に係る発明は、請求項１から請求項３のいずれかに係る発明において、前記搬送経路（３）には、前記育苗箱（Ｔ）の底部を受ける位置と、前記小幅育苗箱（Ｔ１）の底部を受ける位置に分けてローラ（１６ａ）を配置したことを特徴とする。
【００１０】
請求項５に係る発明は、請求項１から請求項４のいずれかに係る発明において、前記搬送経路（３）には、前記育苗箱（Ｔ）に適合する作用幅の潅水パイプ（９９）と、前記小幅育苗箱（Ｔ１）に適合する作用幅の潅水パイプ（９９ａ）とを交換可能に設けたことを特徴とする。
【００１１】
請求項６に係る発明は、請求項１から請求項５のいずれかに係る発明において、前記搬送経路（３）には、前記育苗箱（Ｔ）および前記小幅育苗箱（Ｔ１）それぞれの幅寸法を隔てる側辺に沿って床土に溝（Ｕ）を形成する作溝部材（４１ａ）を設けたことを特徴とする。
【発明の効果】
【００１２】
請求項１に係る発明により、補助枠（３１ａ，３１ｂ，３１ｃ）の着脱によって床土詰め、播種、覆土を行う各作業装置（６，７，８）の作用幅が切替えられることから、異なる幅寸法（Ｗ１）の育苗箱（Ｔ１）にも共用することができるので、設備コストの低減と設置スペースの効率化を図ることができる。
【００１３】
請求項２に係る発明により、請求項１に係る発明の効果に加え、補助枠（３１ａ，３１ｂ，３１ｃ）の外側部の蓋（３２ａ，３２ｂ，３２ｃ）により、前記投入用ホッパ（５４ａ，６８ａ，８４ａ）の開口の側端までの隙間がそれぞれ閉じられるので、誤投入を防止することができる。
【００１４】
請求項３に係る発明により、請求項１又は請求項２に係る発明の効果に加え、育苗箱（Ｔ，Ｔ１）の幅に合わせた搬送ガイド（１５，１５ａ）により、搬送経路（３）に沿って育苗箱（Ｔ，Ｔ１）をそれぞれ安定して搬送することができる。
【００１５】
請求項４に係る発明により、請求項１から請求項３のいずれかに係る発明の効果に加え、
育苗箱の幅に対応させたローラ（１６ａ）によっていずれの育苗箱（Ｔ，Ｔ１）でも安定して搬送することができる。
【００１６】
請求項５に係る発明により、請求項１から請求項４のいずれかに係る発明の効果に加え、育苗箱の幅寸法に対応して適正な潅水が可能となる。
【００１７】
請求項６に係る発明により、請求項１から請求項５のいずれかに係る発明の効果に加え、作溝機構（４１ａ）が育苗箱（Ｔ，Ｔ１）の両側辺に沿って床土に溝（Ｕ）を形成することから、次の播種作業装置（７）において、種籾が両側辺部の溝（Ｕ）に集中されて高密度で播種することができるので、苗移植時の植付欠株を回避することができる。
【図面の簡単な説明】
【００１８】
【図１】播種機の側面図
【図２】補助枠を取付けた投入用ホッパの斜視図
【図３】搬送装置の横断面図
【図４】作溝機構の立面図
【図５】育苗箱の要部拡大断面図
【図６】培土混合ラインの混合構成図
【発明を実施するための形態】
【００１９】
上記技術思想に基づいて具体的に構成された実施の形態について以下に図面を参照しつつ説明する。
播種機１は、図１に実施の一例の側面図を示すように、始端コンベヤ１６から始まる育苗箱Ｔの搬送経路３に沿って、床土詰装置６と、播種装置７と、覆土装置８とをこの順に近接して並べ、ローラコンベアによる灌水部コンベア６３、覆土前コンベア６４、取出コンベア８８を設けて構成される。
【００２０】
尚、床土詰装置６及び播種装置７及び覆土装置８の各々の装置は、他の装置と独立して単独で設置できるように前後左右計４本の脚部９，１０で支持されている。また、覆土装置８の前側の左右の脚部１０には上下に回動するアーム１１を介して該脚部１０の下端より下方に突出させることができる車輪１２を各々取り付けており、該車輪１２を下方に突出させ播種機１を持ち上げて他の脚部９を地面から浮かせることにより、播種機１を容易に移動させることができる。
【００２１】
（床土詰装置）
床土詰装置６は、育苗箱Ｔを搬送する床土詰部搬送コンベア１７と、床土となる培土を貯留する床土タンク５４と、該床土タンク５４内の床土を所定量ずつ繰り出して育苗箱Ｔへ落下させて供給する床土繰出具となる床土繰出ベルト５５と、育苗箱Ｔ上で溢れる床土を均す均平具となる均平ブラシ１９と、育苗箱Ｔ内に突入して床土を鎮圧する床土鎮圧具となる床土鎮圧ローラ５７と、床土繰出ベルト５５上の隙間を調節して床土の繰出量を変更調節する床土量調節具となる不図示の床土量調節レバーを備え、床土繰出ベルト５５が床土を供給する床土詰位置の搬送下手側に均平ブラシ１９が位置し、均平ブラシ１９の搬送下手側に床土鎮圧ローラ５７が位置する。
【００２２】
また、床土タンク５４の上部には、育苗箱Ｔの幅寸法Ｗ（例えば約２８〜３０ｃｍ）に作用する開口幅の投入用ホッパ５４ａを形成し、この投入用ホッパ５４ａには、図２に斜視図を示すように、より小さい幅寸法Ｗ１（例えば約２３〜２５ｃｍ）の小幅育苗箱Ｔ１に適用する開口幅に形成した補助枠３１ａを着脱可能に設けて対象育苗箱を切替え可能に構成する。この補助枠３１ａは、投入用ホッパ５４ａの開口高さ以上の高さで開口するとともに、その幅方向の両外側部にそれぞれ投入用ホッパ５４ａの開口の側端までの隙間を閉じて誤投入を防止するための蓋３２ａ，３２ａを設ける。
【００２３】
床土詰装置６の伝動構成について説明すると、床土繰出モータ２０により床土繰出ベルト５５を駆動し、該床土繰出ベルト５５から歯車伝動機構を介して均平ブラシ１９を駆動する。また、床土詰搬送モータ２１に設けた出力スプロケット９７から搬送伝動チェーン５９を介して駆動スプロケット６０へ伝動し、該駆動スプロケット６０と一体回転する搬送下手側のローラ６１により床土詰部搬送コンベア１７を駆動する。尚、均平ブラシ１９と床土繰出ベルト５５とが互いに逆方向に回転するようになっている。また、床土繰出モータ２０又は床土詰搬送モータ２１の一方の駆動で、床土繰出ベルト５５と均平ブラシ１９と床土詰部搬送コンベア１７へ伝動する構成としてもよい。
【００２４】
（播種装置）
播種装置７は、播種する種子（種籾）を貯留する種子タンク６８と、該種子タンク６８内の種子を間欠的に所定量ずつ繰り出して下部配置の播種部搬送コンベア１８上の育苗箱Ｔへ落下させて播種位置で供給する外周に所定のピッチで複数の繰出溝を備える種子繰出具となる種子繰出ローラ６９と、該種子繰出ローラ６９の外周面に接触して該種子繰出ローラ６９の繰出溝から溢れる種子を除去する除去ブラシ７０と、種子繰出ローラ６９に臨む種子タンク６８の出口の隙間を調節して種子繰出ローラ６９への種子の供給状態を変更調節する種子供給調節具となる種子供給調節ハンドル７２を備える。
【００２５】
また、種子タンク６８の上部には、育苗箱Ｔの幅寸法Ｗに作用する開口幅の投入用ホッパ６８ａを形成し、この投入用ホッパ６８ａには、前記同様に、より小さい幅寸法Ｗ１の小幅育苗箱Ｔ１に適用する開口幅に形成した補助枠３１ｂを着脱可能に設けて対象育苗箱を切替え可能に構成する。この補助枠３１ｂは、投入用ホッパ６８ａの開口高さ以上の高さで開口するとともに、その幅方向の両外側部にそれぞれ投入用ホッパ６８ａの開口の側端までの隙間を閉じて誤投入を防止するための蓋３２ｂ，３２ｂを設ける。
【００２６】
播種装置７の伝動構成について説明すると、播種モータ６５に設けた出力スプロケット６６から繰出伝動チェーン６７を介して種子繰出ローラ６９へ伝動され、前記出力スプロケット６６から第一除去チェーン７３及び第二除去チェーン７４を介して除去ブラシ７０へ伝動され、前記出力スプロケット６６から搬送伝動チェーン７１を介して播種部搬送コンベア１８の搬送下手側のローラ７５へ伝動し、該搬送下手側のローラ７５からチェーン７７を介して搬送上手側のローラ７６へ伝動する。尚、搬送上手側のローラ７６と搬送下手側のローラ７５の間に、播種位置がある。また、除去ブラシ７０及び播種部搬送コンベア１８と種子繰出ローラ６９とが互いに逆方向に回転するべく、第一除去チェーン７３と搬送伝動チェーン７１を側面視で交差するように巻き掛けている。また、種子繰出ローラ６９の外周部において除去ブラシ７０の位置と播種位置との間には、繰出溝から種子が脱落しないように該繰出溝を覆う不図示のガイド体を設けている。
【００２７】
（覆土装置）
覆土装置８は、覆土となる培土を貯留する覆土タンク８４と、該覆土タンク８４内の覆土を所定量ずつ繰り出して下部配置の覆土部搬送コンベア２８上の育苗箱Ｔへ落下させて覆土位置で供給する覆土繰出具となる覆土繰出ベルト８５と、育苗箱Ｔ上で溢れる覆土を均す均平具となる均平板８６と、覆土繰出ベルト８５上の隙間を調節して覆土の繰出量を変更調節する覆土量調節具となる不図示の覆土量調節レバーとを備える。均平板８６は、覆土繰出ベルト８５による覆土供給位置の搬送下手側に配置する。
【００２８】
また、覆土タンク８４の上部には、育苗箱Ｔの幅寸法Ｗに作用する開口幅の投入用ホッパ８４ａを形成し、この投入用ホッパ８４ａには、前記同様に、より小さい幅寸法Ｗ１の小幅育苗箱Ｔ１に適用する開口幅に形成した補助枠３１ｃを着脱可能に設けて対象育苗箱を切替え可能に構成する。この補助枠３１ｃは、投入用ホッパ８４ａの開口高さ以上の高さで開口するとともに、その幅方向の両外側部にそれぞれ投入用ホッパ８４ａの開口の側端までの隙間を閉じて誤投入を防止するための蓋３２ｃ，３２ｃを設ける。
【００２９】
覆土装置８の伝動構成について説明すると、覆土モータ７８により覆土繰出ベルト８５を駆動し、覆土モータ７８に設けた出力スプロケット７９から搬送伝動チェーン８０を介して覆土部搬送コンベア２８の搬送下手側のローラ８１へ伝動し、該搬送下手側のローラ８１からチェーン９８を介して搬送上手側のローラ８２へ伝動する。尚、覆土位置は、搬送上手側のローラ８２と搬送下手側のローラ８１の間である。また、覆土繰出ベルト８５と覆土部搬送コンベア２８とが互いに逆方向に回転するべく、搬送伝動チェーン８０を側面視で交差するように巻き掛けている。
【００３０】
覆土装置８の前側の脚部１０には、育苗箱Ｔを手動搬送するための操作具となる手動搬送ハンドル９２をフック９３を介して保持している。この手動搬送ハンドル９２により、播種装置７で播種をしている途中で故障で播種機１が停止したときや播種作業を終了するために播種機１を停止させたとき、手動で育苗箱Ｔを搬送して播種機１から容易に取り出すことができる。
【００３１】
（搬送装置）
搬送経路３の始端位置の始端コンベヤ１６から灌水部コンベア６３、覆土前コンベア６４、取出コンベア８８は、ローラコンベヤによって構成し、図３に横断面図を示すように、所定の幅寸法Ｗの育苗箱Ｔの底面を搬送支持する位置と、より小さい幅寸法Ｗ１の小幅育苗箱Ｔ１の底面を搬送支持する位置にローラ１６ａ…を配置する。なお、ローラ１６ａ…は左右に複数配列され、所定の幅寸法Ｗの育苗箱Ｔは左右に配列された全てのローラ１６ａ…で支持され、小幅育苗箱Ｔ１は左右に配列された複数のローラ１６ａ…のうちの一部のローラ１６ａ…で支持される。また、育苗箱Ｔの側面を案内する左右の搬送ガイド１５，１５を着脱可能に備え、かつ、小幅育苗箱Ｔ１を案内する左右の搬送ガイド１５ａ，１５ａと交換することにより、対象育苗箱を切替え可能に構成する。
【００３２】
灌水部コンベア６３には、その左右の搬送ガイド１５の外側から各々立ち上がる左右の支持フレーム１００を設け、育苗箱Ｔに必要な幅範囲に複数のノズルを左右に配列した灌水パイプ９９を、左右の支持フレーム１００で両持ち支持する。この灌水パイプ９９による灌水位置は、灌水部コンベア６３の搬送上手寄りの位置に配置し、また、小幅育苗箱Ｔ１に適合する幅範囲に複数のノズルを左右に配列した灌水パイプ９９ａと交換可能に構成する。また、灌水部コンベア６３と覆土前コンベア６４には、必要により均平ブラシを設ける。
【００３３】
上記構成の播種機１は、始端コンベヤ１６に空の育苗箱Ｔを投入することにより、育苗箱Ｔが搬送経路３に沿って、床土詰装置６と、播種装置７と、覆土装置８と、間に配置の灌水部コンベア６３、覆土された状態の育苗箱Ｔを取出コンベア８８から取出すことができる。
【００３４】
また、床土詰装置６、播種装置７および覆土装置８にそれぞれの補助枠３１ａ、補助枠３１ｂ、補助枠３１ｃを装着し、搬送経路３の左右の搬送ガイド１５，１５、灌水パイプ９９を小幅育苗箱Ｔ１のものに交換することにより、それぞれの作用幅が切替えられることから、例えば、条間３０ｃｍ用の育苗箱Ｔに適合する播種機１により、条間２５ｃｍ用の育苗箱Ｔ１について同様の播種が可能となる。
【００３５】
（播種密度）
次に、播種密度の調整手段について説明する。
育苗箱を横長姿勢で搬送する播種機について、床土詰め工程と播種工程の間に、図４に縦断面図を示すように、作溝装置を設ける。この作溝装置は、育苗箱をセンサーで検知した時に、搬送を一時停止するとともに、その両長辺に沿って作溝部材４１ａ，４１ａを昇降することにより、両側同時、または片側ずつ作溝し、また、育苗箱の条間幅寸法に合わせた位置に調節可能に構成することにより、両長辺に沿って床土に溝Ｕ，Ｕを形成し、これらの両溝Ｕ，Ｕにより両長辺に沿って高密度で種籾を播種することができる。
【００３６】
このようにして、育苗箱を横長姿勢で搬送する播種機について、一様密度の播種の場合に避けられなかった苗マットの両長辺部の苗密度の低下によって生じる苗移植時の植付欠株の問題を解消することができる。また、育苗箱Ｔは、図５に要部拡大断面図を示すように、播種された種籾が両長辺部上に残留することなく育苗箱内に播種されるように、両長辺部の縁厚さ寸法Ｖを籾粒径の３ｍｍより細く、例えば、２ｍｍ程度に形成し、縁の育苗箱内側には種子が案内される傾斜面を形成する。
【００３７】
（育苗培土）
次に、育苗培土について説明する。
水稲用の育苗培土は山土を粉砕して篩選別した精細粒土からなる精土に籾殻堆肥を配合するスクリューコンベヤ５１による混合ラインによって生産する。この場合において、保管が一定以上になると撥水の問題が生じるので、従来は、播種作業性を確保するために培土水分を抑えつつ液体の界面活性剤を添加することにより、混合ムラを招くことがあった。
【００３８】
この問題を解決するために、図６に混合ラインの混合構成図を示すように、混合前に籾殻堆肥５１ａを篩い選別して１ｍｍ以下を３０％以下としてスクリューコンベヤ５１の上手位置に供給し、次いで、ポリオキシアルキレンアルキルエーテル等の粉体の界面活性剤５１ｂを添加して水の浸透を促進した上で加水５１ｃを行うことにより、撥水性を有する籾殻堆肥について、長時間撹拌により重点的に添加することができる。
【００３９】
また、精土５１ｅを添加する前の工程で加水５１ｃを行い、その後に粉体の界面活性剤５１ｄの添加を行うことにより、籾殻堆肥の撥水性を抑えることができる。なお、この場合は、肥料５１ｇの添加後の加水５１ｈは行わない。
【００４０】
また、精土５１ｅの添加後に、粉体の界面活性剤５１ｆを添加することにより、生産ラインの変更を少なく抑えることができ、肥料５１ｇと界面活性剤５１ｆとを事前混合しておくことにより、生産ラインの変更なしに適用することができる。
【符号の説明】
【００４１】
１      播種機
３      搬送経路
６      床土詰装置
７      播種装置
８      覆土装置
１５    搬送ガイド
１５ａ  搬送ガイド
１６    始端コンベア
１６ａ  ローラ
１７    床土詰部搬送コンベア
１８    播種部搬送コンベア
２８    覆土部搬送コンベア
３１ａ  補助枠
３１ｂ  補助枠
３１ｃ  補助枠
３２ａ  蓋
３２ｂ  蓋
３２ｃ  蓋
４１ａ  作溝部材
５４    床土タンク
５４ａ  投入用ホッパ
６３    灌水部コンベア
６４    覆土前コンベア
６８    種子タンク
６８ａ  投入用ホッパ
８４    覆土タンク
８４ａ  投入用ホッパ
８８    取出コンベア
９９    灌水パイプ
９９ａ  灌水パイプ
Ｔ      育苗箱
Ｔ１    小幅育苗箱
Ｕ      溝
Ｗ      幅寸法
Ｗ１    幅寸法
【図１】
2013215161.tif 000003
【図２】
2013215161.tif 000004
【図３】
2013215161.tif 000005
【図４】
2013215161.tif 000006
【図５】
2013215161.tif 000007
【図６】
2013215161.tif 000008